(57)【特許請求の範囲】
【請求項１】
無線通信システムにおいて用いられるようにされた移動局において、前記移動局は、
歪んだ情報ビットのブロックを第１の速度で受信するようにされた受信機手段（２１２）と、
前記歪んだ情報ビットから情報ビットを検出するようにされた第１の等化手段（２０６）と、を含み、
前記受信された情報ビットのブロックの品質が与えられたレベルよりも高い時に、前記第１の等化手段（２０６）よりも少ない計算リソースを用いて前記歪んだ情報ビットから情報ビットを検出するようにされた第２の等化手段（２１３）と、
１つまたはそれ以上の前記受信された情報ビットのブロックの品質を推定し、それに基づき、情報ビットを検出する時に前記第１の等化手段、または前記第２の等化手段のいずれを用いるべきかを決定するようにされた推定手段（２１１）と、
をさらに含むことを特徴とする移動局。
【請求項２】
前記移動局は、前記受信される情報ビットのブロックが前記第１の速度で受信され且つ前記第１の等化手段（２０６）が用いられる第１のモードにおいて動作している時、かつ前記推定品質が所定の第１のスレショルドよりも高い時は、前記情報ビットのブロックが前記第１の速度で受信され且つ前記第２の等化手段（２１３）が用いられる第２の動作モードへ変化するようにされることを特徴とする請求項１記載の移動局。
【請求項３】
前記受信機手段は、前記第１の速度よりも高い第２の速度でも歪んだ情報ビットのブロックを受信し、前記移動局は、前記第１のモードまたは前記第２のモードにおいて動作している時、かつ前記推定品質が所定の第２のスレショルドよりも高い時は、前記情報ビットのブロックが前記第２の速度で受信され且つ前記第２の等化手段（２１３）が用いられる第３の動作モードへ変化するようにされることを特徴とする請求項２記載の移動局。
【請求項４】
前記移動局は、前記第３のモードにおいて動作している時、かつ前記推定品質が所定の第３のスレショルドよりも低い時は、前記第２の動作モードへ変化するようにされることを特徴とする請求項３記載の移動局。
【請求項５】
前記移動局は、前記第３のモードにおいて動作している時、かつ前記推定品質が所定の第４のスレショルドよりも低い時は、前記第１の動作モードまたは第２の動作モードへ変化するようにされることを特徴とする請求項３記載の移動局。
【請求項６】
無線通信システムにおいて第１の通信装置から第２の通信装置へ情報を送信する方法において、前記方法は、
前記第１の通信装置から通信リンクを経て前記第２の通信装置へ第１の速度で送信された情報ビットのブロックを、歪んだ情報ビットのブロックとして前記第２の通信装置において受信するステップと、
第１の等化手段が、前記歪んだ情報ビットから情報ビットの第１の検出を行うステップと、を含み、
１つまたはそれ以上の前記歪んだ情報ビットのブロックの品質を推定するステップと、
前記推定された品質に基づき、前記第１の等化手段が前記歪んだ情報ビットから情報ビットの前記第１の検出を行うか、または、前記受信された情報ビットのブロックの品質が与えられたレベルよりも高い時に、第２の等化手段が第２の計算要求の少ない検出を行うか、を決定するステップ、
をさらに含むことを特徴とする方法。
【請求項７】
前記推定品質が所定の第１のスレショルドよりも高い時は、前記第２の等化手段により前記第２の検出が行われることを特徴とする請求項６記載の方法。
【請求項８】
前記受信するステップでは、歪んだ情報ビットのブロックが前記第１の速度よりも高い第２の速度でも受信され、前記情報のブロックが前記第１の速度で受信される時、かつ前記推定品質が所定の第２のスレショルドよりも高い時は、前記移動局が前記基地局に、前記情報のブロックを前記第２の速度で送信するように要求することを特徴とする請求項６または７記載の方法。
【請求項９】
前記情報のブロックが前記第２の速度で受信される時、かつ前記推定品質が所定の第３のスレショルドよりも低い時は、前記移動局が前記基地局に、前記情報のブロックを前記第２の速度よりも低い前記第１の速度で送信するように要求することを特徴とする請求項８記載の方法。
【請求項１０】
少なくとも１つの基地局および少なくとも１つの移動局を含む通信システムにおいて、
前記基地局は、通信リンクを経て前記移動局へ第１の速度で情報ビットのブロックを送信するようにされており、
前記移動局は、前記送信の結果として、前記送信された情報ビットのブロックを歪んだ情報ビットのブロックとして受信するようにされた受信機手段（２１２）を含み、かつ前記歪んだ情報ビットから情報ビットを検出するようにされた第１の等化手段（２０６）を含み、
前記移動局はさらに、
前記通信リンクの品質が与えられたレベルよりも高い時に、前記第１の等化手段（２０６）よりも少ない計算リソースを用いて前記歪んだ情報ビットから情報ビットを検出するようにされた第２の等化手段（２１３）と、
前記通信リンクの品質を推定し、それに基づき、情報ビットを検出する時に前記第１の等化手段、または前記第２の等化手段のいずれを用いるべきかを決定するようにされた推定手段（２１１）と、
を含むことを特徴とする通信システム。
【請求項１１】
前記移動局は、前記推定品質が所定の第１のスレショルドよりも高い時は、前記第２の等化手段（２１３）を用いるようにされていることを特徴とする請求項１０記載の通信システム。
【請求項１２】
前記受信機手段は、前記第１の速度よりも高い第２の速度でも歪んだ情報ビットのブロックを受信し、前記移動局は、前記推定品質が所定の第２のスレショルドよりも高い時は、前記基地局が前記情報のブロックを前記第２の速度で送信するのを許容するようにされていることを特徴とする請求項１０又は１１記載の通信システム。
【請求項１３】
前記移動局は、前記情報のブロックが第２の速度で受信される時、かつ前記推定品質が所定の第３のスレショルドよりも低い時は、前記基地局に、情報のブロックを前記第２の速度よりも低い第１の速度で送信するように要求することを特徴とする請求項１２記載の通信システム。
【請求項１４】
前記通信システムはＴＤＭＡシステムであり、前記情報のブロックはタイムスロットであることを特徴とする請求項１０乃至請求項１３のいずれか１項に記載の通信システム。
【発明の詳細な説明】
【０００１】
本発明は、無線通信システムにおいて用いられるようにされた移動局に関し、前記移動局は、歪んだ情報ビットのブロックを第１の速度で受信するようにされた受信機手段と、前記歪んだ情報ビットから情報ビットを検出するようにされた第１の検出手段と、を含む。
本発明はさらに、無線通信システムにおいて第１の通信装置から第２の通信装置へ電子情報を送信する方法にも、また通信システムにも関する。
【０００２】
しばしば、第１の通信装置から第２の通信装置へディジタル情報を送信する時には、その情報は情報ビットのブロックとして送信される。例えば、時分割多重アクセスすなわちＴＤＭＡシステムにおいては、いくつかのディジタル信号が単一の高速チャネル内にインタリーブされ、すなわち、前記チャネルは、１つの通信装置ではなくいくつかの通信装置へサービスを提供するいくつかのサブチャネルから成る。従って、与えられた通信装置へ情報を送信する時には、その情報は情報ビットのブロックとして送信される。ＴＤＭＡシステムにおいては、通信は、連続的に繰返される時間間隔中、すなわち、いわゆるタイムスロット中において行われ、それらのタイムスロット中において２つの装置は相互接続でき、すなわち、情報ビットのブロックは与えられた速度によりそれらの間で送信される。
【０００３】
セルラ通信チャネルまたは他のエアインタフェースを経て、音声および／またはデータ信号のような情報を送信および／または受信しうる移動局または移動電話機は、無線トランシーバを含む。無線通信システムにおける通信リンクを経て、第１の通信装置、例えば基地局から、第２の通信装置、例えば移動局へ、情報を送信する時に、送信された信号は、例えば、物理チャネルにより導入される記号間妨害（ＩＳＩ）の結果として歪みを受けることは公知である。従って、第２の通信装置における受信機により受信された信号は、第１の通信装置から最初に送信された信号の歪んだバージョンである。
【０００４】
従って、ディジタル情報のブロックが第１の通信装置から、通信リンクまたはチャネルを経て第２の通信装置へ送信された時には、第２の通信装置においては歪んだ情報ビットのブロックが受信される。その結果として、ディジタル情報ビットのブロックを受信する時には、最初に送信された情報ビットを再生するために、受信された歪んだ情報に基づいて情報ビットの検出が行われなければならず、すなわち、受信された歪んだ情報ビットから情報ビットが検出される。
【０００５】
本発明の目的は、上述のタイプの改良された移動局を提供することである。
本発明によれば、この目的は上述のタイプの移動局により達成され、前記移動局はさらに、前記受信された情報ビットのブロックの品質が与えられたレベルよりも高い時に、前記第１の検出手段よりも少ない計算リソースを用いて前記歪んだ情報ビットから情報ビットを検出するようにされた第２の検出手段と、１つまたはそれ以上の前記受信された情報ビットのブロックの品質を推定し、それに基づき、情報ビットを検出する時に前記第１の検出手段、または前記第２の検出手段のいずれを用いるべきかを決定するようにされた推定手段と、を含む。
【０００６】
本発明は、移動局におけるいくつかのタスクがソフトウェアにおいて実現され且つ同じプロセッサ手段を用いて実行される、すなわち、いくつかのタスクが移動局内に与えられた計算リソースをある程度まで共用する、環境に基づいている。従って、計算リソースは、可能な時は、１つのプロセスからもう１つのプロセスへ有利に移動せしめられる。これは、移動局のような計算制限通信装置においては重要な関心事である。そのわけは、それが、与えられた計算リソースの最適な使用を可能にするからである。本発明によれば、第１の検出手段の代わりに第２の検出手段を用いる時に自由化された計算リソースは、移動局において他の目的のために用いられうる。あるいは、自由化された計算リソースは節約されて電力消費を低減し、その結果、移動局がバッテリにより電力を供給される時は、バッテリの再充電の間の最大動作時間（通話時間および待機時間の双方）が延長される。
【０００７】
有利な実施例によれば、前記移動局は、前記受信される情報ビットのブロックが前記第１の速度で受信され且つ前記第１の検出手段が用いられる、第１のモードにおいて動作している時、かつ前記推定品質が所定の第１のスレショルドよりも高い時は、前記情報ビットのブロックが前記第１の速度で受信され且つ前記第２の検出手段が用いられる第２の動作モードへ変化するようにされる。
【０００８】
これにより、前記第１の検出手段から前記第２の検出手段へ変化する前に、前記推定品質が超えなければならない第１のスレショルドを指定することができる。例えば、これは、前記推定によりこれらの代わりの使用が関心事となる前に自由化されなければならない計算リソースの量を指定することを可能にし、例えば、与えられたリソースの量を必要とする与えられたタスクのみのために自由化された計算リソースを用いることが所望される時にはそうなる。
【０００９】
特に有利な実施例によれば、前記移動局は、前記第１のモードまたは前記第２のモードにおいて動作している時、かつ前記推定品質が所定の第２のスレショルドよりも高い時は、前記情報ビットのブロックが前記第１の速度よりも高い第２の速度で受信され且つ前記第２の検出手段が用いられる第３の動作モードへ変化するようにされる。高品質信号の受信時における複雑さの少ない第２の検出手段の使用の結果として、自由化された前記リソースは前記移動局における情報受信の速度を増大させるために用いられ、すなわち、情報スループットが増大せしめられるので、これは重要な関心事である。
【００１０】
好ましくは、前記移動局は、前記第３のモードにおいて動作している時、かつ前記推定品質が所定の第３のスレショルドよりも低い時は、前記第２の動作モードへ変化するようにされる。この状況においては、チャネル条件は与えられたレベルよりも低くなり、従って送信速度は低下することがわかる。従って、情報ビットのブロックの受信速度は低下し、その結果として、前記受信機手段が必要とする計算リソースは減少する。本発明のこの実施例においては、前記第２の検出手段が用いられる。従って、前記第１の検出手段の使用に比し、自由化された計算リソースを他の目的のために用いることができ、あるいは電力消費が低下することになる。前記第３のスレショルドは、もし所望ならば、前記第２のスレショルドに等しくてもよい。
【００１１】
好ましくは、前記移動局は、前記第２のモードまたは前記第３のモードにおいて動作している時、かつ前記推定品質が所定の第４のスレショルドよりも低い時は、前記第１の動作モードへ変化するようにされる。これにより、前記受信機手段から自由化された計算リソースが、もっと複雑で計算を必要とする第１の検出手段の使用を可能にするので、行われた推定により低品質を有する情報ビットのブロックを検出することができる。これにより、ビットエラーによる劣化が回避される。
【００１２】
上述のように、本発明はまた、請求項６の導入部に定められている方法にも関する。本発明によるこの方法は、１つまたはそれ以上の前記歪んだ情報ビットのブロックの品質を推定するステップと、それに基づき、前記歪んだ情報ビットから情報ビットの、前記第１の検出を行うか、または、前記受信された情報ビットのブロックの品質が与えられたレベルよりも高い時に、第２の計算要求の少ない検出を行うか、を決定するステップと、をさらに含むことを特徴とする。
対応する本発明による移動局に関連して上述した利点は、これにより実現される。
【００１３】
さらに、本発明は、請求項１０の導入部に記載されている通信システムに関する。本発明によるこのシステムは、請求項１０の特徴部分に記載されている手段をさらに含むことを特徴とする。対応する本発明による移動局に関連して上述した利点はまた、そのようなシステムに対しても適用されることに注意すべきである。
本発明による前記方法および前記システムの有利な実施例は、請求項７から９および請求項１１から１４にそれぞれ定められている。
【００１４】
本発明は、図面を参照しつつ、実施例に関連して以下にさらに十分に説明される。
図は、わかりやすくするために概略的なものとされ、簡単化されており、それらは本発明の理解のために本質的である細部のみを示し、他の細部は省略している。全体を通じ、同じ部品、または対応する部品に対しては、同じ参照番号が用いられている。
【００１５】
図１は、無線通信システムの例としてのセルラ通信システムを示しており、そこでは、無線電話機または移動局は、変調信号の送信および受信を可能にする回路を含み、それにより、移動局１０１と、基地局１０２、１０３として公知の遠隔位置にあるトランシーバと、の間の２方向通信が可能となる。そのようなシステムにおいては、送信信号は通常、基地局１０２と移動局１０１との間の通信リンクを経て送信されるべきディジタル記号による搬送波信号の変調として発生せしめられる。
【００１６】
図示されているように、移動無線通信システムにおいては、複数の基地局１０２、１０３は、それぞれの基地局がセルと呼ばれるそれぞれの地域を対象とするように配置されている。これらのセルは、互いにグループをなして広域のシステムカバレージを提供する。与えられたセル内に位置する移動局１０１は、そのセル内の基地局と、通信リンクまたは通信チャネルを経て通信する。基地局１０２、１０３は、通常は、移動局加入者を地上電話ネットワーク１０４に連結する電話交換局の地域ネットワークまたは全国ネットワーク内に形成される。
【００１７】
情報を第１の通信装置から第２の通信装置へ送信する時は、しばしばその情報は、情報ビットのブロックとして送信される。例えば、時分割多重アクセスすなわちＴＤＭＡシステムにおいては、いくつかのディジタル信号が単一チャネル内へインタリーブされ、すなわち、前記チャネルは、単一の通信装置ではなくいくつかの通信装置へサービスを提供するいくつかのサブチャネルから成る。従って、与えられた通信装置へ情報を送信する時には、その情報はバーストをなして送信され、それぞれのバーストはいくつかのデータ記号または情報ビットから成る。その通信は、連続的に繰返される時間間隔または期間、いわゆるタイムスロット中において行われ、それらのタイムスロット中において２つの装置は相互接続できる。従って、与えられた基地局１０２と与えられた移動局１０１との間で送信される情報ビットのブロックは、与えられた速度により送信される。
【００１８】
無線通信システムにおける第１の通信装置と第２の通信装置との間の通信リンクが、異なる品質のものでありうることは公知である。情報が通信リンクを経て送信される時、送信された信号は歪みを受け、その結果として、第２の通信装置において受信される信号は、最初に送信された信号の歪んだバージョンとなる。音声およびデータの伝送品質および／または受信に対しかなりの影響を有しうるこの歪みは、通信リンクの品質に依存する。例えば、移動局１０１における受信信号の品質は、移動局１０１と基地局１０２との間の距離、基地局１０２と移動局１０１との間で伝送される電波の異なった反射、および／または動作地域からの雑音に依存する。
【００１９】
ディジタル情報のブロックが第１の通信装置から、通信リンクを経て第２の通信装置へ送信された時には、第２の通信装置においては歪んだ情報ビットのブロックが受信される。従って、ディジタル情報ビットのバーストまたはブロックを受信する時には、最初に送信された情報ビットを再生するために、受信された歪んだ情報に基づいて情報ビットの検出が行われなければならない。
【００２０】
図２Ａは、従来技術による移動局内のディジタル受信機を示す。この受信機は、受信機手段２１２および第１の検出手段２０６を含む。受信機手段２１２は、基地局から通信リンクを経て情報ビットのブロックを送信された結果として、歪んだ情報ビットのブロックを受信するようにされており、一方、図示されている例においては等化器である第１の検出手段２０６は、前記歪んだ情報ビットから情報ビットを検出するようにされている。
【００２１】
受信機手段２１２は、多くの方法で実現されうる。図示されている例においては、受信機手段２１２は、フロントエンド受信機２０２と、アナログディジタル変換器２０３と、ディジタルフィルタ２０４と、同期およびチャネル推定ユニット２０５と、を含む。フロントエンド受信機２０２はまず、アンテナ２０１を経て受信した信号を、以下のステップを行うことにより処理する。第１に、所望される周波数帯をフィルタするために、帯域フィルタリングが受信信号に対して行われる。第２に、この信号は、ミクサによりベースバンドにダウン変換（down convert）される。最後に、前記ミクサにより発生せしめられた鏡映信号（mirror signal）をフィルタ除去するために低域フィルタリングが行われる。
【００２２】
フロントエンド受信機２０２からの出力は、アナログディジタル変換器２０３によりＡ／Ｄ変換される。ディジタルフィルタ２０４は、隣接チャネルの妨害を処理するために、ある追加のフィルタリングが次に行われることを示している。サンプリングされた信号、すなわち、ディジタルフィルタ２０４からの出力信号は、同期およびチャネル推定ユニット２０５へ供給される。移動通信用グローバルシステムすなわちＧＳＭのような、あるセルラシステムにおいては、情報はバーストフォーマットで送信され、その場合それぞれのバーストは、バーストの中央に訓練シーケンスを含み、またその訓練シーケンスのそれぞれの側に情報シーケンスを含む。訓練シーケンスは、同期およびチャネル推定のために用いられる。同期およびチャネル推定ユニット２０５は、同期およびチャネル推定を行うようにされており、従って、それからの出力は、バースト内におけるパイロット信号の位置と、チャネルパルス応答の推定と、に関する情報を含む。
【００２３】
次に、送信された記号を復調する等化器２０６は、この情報を用い、物理チャネルにより導入された記号間妨害（ＩＳＩ）の効果を最小化する。次に、復調された記号は、それぞれの記号（記号内のそれぞれのビット）の確率測度と共にインタリーバ２０７へ供給され、このインタリーバは連続するビットエラーを分割する。そのわけは、次のチャネルデコーダ２０８が、そのようなエラーを軽減するのに十分に適していないからである。次に、チャネルデコーダ２０８は、デコーダのブロックをデコードし、それを次に高位のレイヤに送る。データのブロックは、時分割多重アクセス（ＴＤＭＡ）システムにおけるタイムスロットに関連していることに注意すべきである。
【００２４】
多重タイムスロットの使用は、このようにしてスループットを劇的に改善する。しかし、多重タイムスロットの使用はまた、ある関連する問題を有する。そのわけは、受信記号の信号処理は、毎秒の命令（ＩＰＳ）に関し強力なディジタル信号プロセッサ（ＤＳＰ）を必要とするからである。本発明は、１つのユニット（例えば等化器）において用いられるＩＰＳを、もしある定められたスレショルドが満たされていれば、第２のユニット（例えばチャネルデコーダ）におけるＩＰＳへトレードすることにより、ＩＰＳの制限されたシステムにおけるいくつかのタイムスロットの使用を可能にする。許されるタイムスロットの数はネットワークにより判定されるので、これは、タイムスロットの数を増加させるためのサービスの再交渉を開始させる。
【００２５】
本発明は、物理チャネルの伝搬条件に関する情報を用い、受信性能のわずかな損失のみにより、または前記損失なしに、ユニットを使用禁止にしうるか否か、または、（ＩＰＳに関し）複雑さの少ない方法を用いうるか否か、を判定する。もしこれが可能ならば、使用されるＩＰＳの総数は減少し、より多くのタイムスロットが可能となり、すなわち情報ビットのブロックの送信速度が増大する。すなわち、処理しうるタイムスロットの数は、実際のチャネル条件を観測することにより動的に決定される。本発明は、サービスの再交渉を開始することにより、チャネル条件に依存してタイムスロットの数を増減する可能性を含む。
【００２６】
推定、すなわち、物理チャネルの実際の受信条件の測定、に基づき、無視しうる性能の損失のみにより、複雑さの少ない処理ユニットを使用禁止にし、または使用しうるか否か、の判定がなされる。もしこれが可能であり、それにより自由化されたＩＰＳが、受信機がより多くのタイムスロットを処理することを可能にすれば、サービスの再交渉が必要となる。このサービスの再交渉の結果により、移動局は、より多くのタイムスロットを使用しうるようになり、またはならない。
【００２７】
図２Ｂは、本発明による移動局内のディジタル受信機の例である。図２Ａに示されている要素に加え、本発明によるこの移動局は、前記情報ビットのブロックの品質が与えられたレベルよりも高い時に、前記第１の検出手段２０６よりも少ない計算リソースを用いて前記歪んだ情報ビットから情報ビットを検出するようにされた第２の検出手段２１３を含む。さらに、図示されているように、前記移動局は、受信された情報ビットのブロックの品質を推定し、それに基づき、情報ビットを検出する時に前記第１の検出手段２０６、または前記第２の検出手段のいずれを用いるべきかを決定するようにされた推定手段２１１を含む。この実施例における受信機手段２１２Ｂは、推定手段２１１に接続されていることのみにより受信機手段２１２と異なっていることに注意すべきである。
【００２８】
図示されている例においては、推定手段２１１は、チャネル条件推定器２０９および制御ユニット２１０を含む。チャネル条件推定器２０９は、チャネル品質に関する情報を収集する。これは、本発明に対して制限されないいくつかの方法により行われうる。通信チャネルの品質の推定は、電気通信の分野において公知であることに注意すべきである。例えば、この品質推定は、受信信号のＳＮ比の推定として行われる。推定品質は、次に制御ユニット２１０へ供給され、制御ユニット２１０は、チャネル品質が、処理ユニットにおける方法を使用禁止にするか、または変更するために十分であるか否かを、例えば、等化器において決定し、この方法の変更は、最尤シーケンス推定（ＭＬＳＥ）動作から判定帰還等化器（ＤＦＥ）動作への変更でありえ、それにより使用される計算リソースが少なくなる。もしそうであれば、またもし方法の使用禁止／変更の数が、より多くのタイムスロットを処理するために十分であれば、前記制御ユニットは、ユニット／諸ユニットを使用禁止／変更し、サービスの再交渉を要求する。図示されている実施例においては、制御ユニット２１０は、第１または第２の等化器２０６、２１３を選択することにより、用いられる検出の方法を選択するようにされている。チャネルの推定に関する第２のスレショルドは、タイムスロットの数が多くなったためのデータ速度の増加が、より強力なチャネルコーディングになったためのデータ速度の減少をオフセットするように、（より少ないＩＰＳを用いる）より簡単な等化器が、より強力なチャネルコーディングと共に用いられうる時を決定するために用いられうる。
【００２９】
図示されている実施例においては、チャネル条件推定器２０９は、アナログディジタル変換器２０３と、ディジタルフィルタ２０４と、同期およびチャネル推定ユニット２０５と、の出力に接続されている。これは、チャネル条件推定器２０９が、チャネルの品質を推定する時に、いくつかの信号を用いうることを示している。例えば、異なるタイプの雑音、例えば、隣接チャネル雑音、同一チャネル雑音および／または熱雑音、に関連する雑音寄与がこれにより推定されうるので、これは有利である。
【００３０】
図４は、本発明による電子情報の送信の方法を示すフローチャートである。電子情報は、無線通信システムにおいて、第１の通信装置から第２の通信装置へ送信される。ステップ４０１においては、前記第１の通信装置から通信リンクを経て第２の通信装置へ第１の速度で送信された情報ビットのブロックが、歪んだ情報ビットのブロックとして受信される。ステップ４０２においては、前記第１の通信装置と前記第２の通信装置との間の通信リンクの品質を推定するために、受信された情報ビットのブロックの品質が推定される。ステップ４０３においては、前記受信された歪んだ情報ビットから情報ビットの、前記第１の検出を行うか、または、前記受信された情報ビットのブロックの品質が与えられたレベルよりも高い時に、第２の計算要求の少ない検出を行うか、の決定が行われる。ステップ４０３における決定は、ステップ４０２において行われた品質推定に基づいている。ステップ４０４においては、ステップ４０３において選択された第１または第２の検出が行われる。
【００３１】
好ましくは、ステップ４０２および４０３の推定および決定は、用いられる最適の検出手段を選択するために、抜け目なく、すなわち、受信された歪んだ情報ビットのことごとくの新しいブロックに対し少なくとも１回、行われる。これにより、図３Ａおよび図３Ｂに関連して説明するように、移動局は、推定品質の値に依存して、すなわち、推定品質が与えられた所定スレショルドより高い時、または低い時に、異なる状態またはモードで動作せしめられうる。
【００３２】
図３Ａは、本発明による移動局のような通信装置における受信機の動作を示す状態図である。基地局からの電子情報の受信時に、移動局は、３つのモードまたは状態Ｓ１、Ｓ２、またはＳ３の１つにおいて動作する。図に３０１により示されている状態Ｓ１においては、基地局から通信リンクを経て第１の速度で送信された情報ビットのブロックが、移動局により受信される。通信リンクにおける歪みにより、送信された情報ビットのブロックは、歪んだ情報ビットのブロックとして受信される。状態Ｓ１においては、前記歪んだ情報ビットから情報ビットを検出するようにされた移動局内の第１の検出手段が用いられる。
【００３３】
前記移動局はまた、前記通信リンクの品質、または前記受信情報ビットの品質を推定するようにされた推定手段をも含み、前記推定に基づき、情報ビットの検出時に前記第１の検出手段または前記第２の検出手段のいずれを用いるべきか、すなわち、状態Ｓ１における動作を継続すべきか、または状態Ｓ２における動作を開始すべきかを決定する。図示されている実施例においては、この決定は、推定品質ｑeを所定の第１のスレショルドｔ1と比較することにより行われる。推定品質が第１のスレショルドｔ1よりも高い時は（すなわち、ｑe＞ｔ1の時は）、動作状態はＳ１からＳ２へ変更され、そうでない場合は動作状態はＳ１であり続ける。
【００３４】
状態Ｓ２においては、Ｓ１におけると同様に、情報ビットのブロックが、基地局から移動局へ第１の速度で送信される。しかし、状態Ｓ１とは対照的に、状態Ｓ２においては、第１の検出手段よりも少ない計算リソースを用いて、受信された歪んだ情報ビットから情報ビットを検出するようにされた、第２の検出手段が用いられる。この動作は、通信リンクが高品質であり、そのために高品質の情報ビットが受信される結果として可能である。推定品質が所定の第２のスレショルドｔ2よりも高い時は（ｑe＞ｔ2）、動作状態はＳ２からＳ３へ変更される。もし一方、推定品質が所定の第４のスレショルドｔ4よりも低ければ（ｑe＜ｔ4）、動作状態はＳ２からＳ１へ変更される。そうでない場合は、すなわち、もし推定品質が第４のスレショルドと第２のスレショルドとの間にあれば（ｔ4＜ｑe＜ｔ2）、動作状態はＳ２であり続ける。状態Ｓ２における動作は、必要とされる計算リソースが少ない結果として電力消費が低いために、状態Ｓ１における動作よりも有利であることに注意すべきである。
【００３５】
状態Ｓ３においては、Ｓ２におけると同様に、第２の計算要求の少ない検出手段が用いられるが、基地局からの情報ビットのブロックは、第１の速度よりも高い第２の速度で受信される。例えば、ＴＤＭＡシステムにおいては、基地局から移動局へデータを送信する時に、より多くのタイムスロットが用いられる。この動作は、通信リンクの高い品質により、第１の検出手段の代わりに第２の検出手段を用いるために、計算リソースが自由化される結果として可能となる。推定品質が所定の第３のスレショルドｔ3よりも低い時は（ｑe＜ｔ3）、動作状態はＳ３からＳ２へ変更される。そうでない場合は、動作状態はＳ３であり続ける。状態Ｓ３における動作は、高いデータスループットが望ましい時、例えば、非音声データを送信する時は、状態Ｓ２における動作よりも有利であることに注意すべきである。
【００３６】
図３Ｂは、本発明のもう１つの実施例による移動局のような通信装置における受信機の動作を示す状態図である。この実施例においては、移動局は、状態Ｓ１およびＳ３においてのみ動作する。この実施例は、高いデータスループットのみが望ましい時に有利である。同様にして、状態Ｓ１およびＳ２のみを有する実施例は、低い電力消費のみが望ましい時に用いられうる。これらの状況は、上述の第１および第２、および第３および第４のスレショルドが、それぞれ同じ値を与えられた時に実現される。
【００３７】
状態Ｓ１とＳ２との間での移動局の動作の相違は、基地局の動作に影響しないので、Ｓ１とＳ２との間での動作の変更は、基地局に知らせることなく行われうる。これとは対照的に、状態Ｓ２とＳ３との間での、または、状態Ｓ１とＳ３との間での動作の変更は、基地局および移動局の双方がそれを可能にする時にのみ行われうる。例えば、基地局は、より高い速度で情報ビットのブロックを送信しえなければならない。換言すれば、基地局および移動局は、状態Ｓ２とＳ３との間での動作の変更が行われる前に同意していなければならない。従来技術から公知のように、同意に達するためには、いわゆるサービスの交渉が行われる。以下に例を与える。
【００３８】
移動局は、チャネル接続の開始時に最初のサービス構成を提案でき、あるいはチャネル動作中に新しいサービスを提案できる。もし移動局が、基地局にとって受入れうるサービス構成を提案すれば、それらの局の双方は、その新しいサービス構成の使用を開始する。もし移動局が、基地局にとって受入れえないサービス構成を提案すれば、基地局は、その提案されたサービス構成を拒否するか、または代わりのサービス構成を提案することができる。移動局は、基地局により提案されたサービス構成を拒否するか、または使用されるべきさらに別のサービス構成を提案することができる。上述の交渉プロセスは多少ともステップを含むこと、また、その交渉プロセスは役目を逆にして、すなわち、基地局が交渉を開始することにより行われうること、に注意すべきである。
【００３９】
以上においては、いくつかの実施例を示したが、本発明はそれらへ制限されるものではなく、特許請求の範囲により定められた範囲内において他の様式で実施することもできることを強調しなければならない。例えば、基地局から情報を受信する移動局に関連した例を与えたが、本発明による方法は移動局において用いられるように制限されるものではない。一般に、本発明による方法は、第１の通信装置から通信リンクを経て第１の速度で送信された情報ビットのブロックを、歪んだ情報ビットとして第２の通信装置において受信する時に用いられる。
【図面の簡単な説明】
【図１】  無線通信システムを示す。
【図２Ａ】  従来技術による移動局内のディジタル受信機を示す。
【図２Ｂ】  本発明による移動局内のディジタル受信機を示す。
【図３Ａ】  本発明による受信機の動作を示す第１の状態図である。
【図３Ｂ】  本発明による受信機の動作を示す第２の状態図である。
【図４】  本発明による方法のフローチャートである。
【図１】
0004554864.tif 000002
【図３Ａ】
0004554864.tif 000003
【図３Ｂ】
0004554864.tif 000004
【図４】
0004554864.tif 000005
【図２Ａ】
0004554864.tif 000006
【図２Ｂ】
0004554864.tif 000007